(57)【要約】【課題】  簡単にペットボトル等の容器の首部に着脱することができ、丈夫で変形し難く、内部に入れた収納物を確実に保護することができ、装飾物として再利用することができる収納ケースを提供する。【解決手段】  収納ケース１は、容器３０の首部３１に離脱可能に取り付けられるものであって、合成樹脂素材によって成形された第１のケース２と、合成樹脂素材によって成形され、前記第１のケース２に嵌着される第２のケース２２とからなる。第１のケース２には、容器３０の首部３１を挟持する一対のアーム７，８が形成されている。【選択図】        図３
2005320039.tif 000002
【特許請求の範囲】
【請求項１】
容器の首部に離脱可能に取り付けられる収納ケースであって、
合成樹脂素材によって成形された第１のケースと、
合成樹脂素材によって成形され、前記第１のケースに嵌着される第２のケースとからなり、
第１のケースには、容器の首部を挟持する一対のアームが形成されていることを特徴とする収納ケース。
【請求項２】
第１のケースの開口端周縁には、嵌合凹部が形成され、
第２のケースの開口端周縁には、嵌合凸部が形成され、
第１のケースと第２のケースは、開口端同士が接合され、嵌合凸部が嵌合凹部に着脱可能に嵌着されていることを特徴とする請求項１記載の収納ケース。
【請求項３】
第１のケースの合成樹脂素材は、第２のケースの合成樹脂素材より軟質素材で形成されていることを特徴とする請求項１又は２記載の収納ケース。
【請求項４】
アームは、先端側に向かって細くなるように形成されていることを特徴とする請求項１、２又は３記載の収納ケース。
【請求項５】
収納ケースは、球体状に形成され、
第１のケース及び第２のケースは、半球体状に形成されていることを特徴とする請求項１乃至４のいずれか１項に記載の収納ケース。
【請求項６】
一対のアームが形成された面は、容器の首部に沿って湾曲した形状に形成されていることを特徴とする請求項１乃至５のいずれか１項に記載の収納ケース。
【発明の詳細な説明】
【技術分野】
【０００１】
本願発明は、ペットボトル等の容器の首部に離脱可能に取り付けられる収納ケースに関する。
【背景技術】
【０００２】
従来のペットボトル等の容器の首部に取り付けられる収納ケースは、紙シートの折り畳みによって形成されていた。この従来の収納ケースは、首部挿入孔及び押さえ片を有し、当該首部挿入孔をペットボトル等の容器の首部に挿入すると、押さえ片が首部に形成されたつばに引っ掛かるようにして取り付けられる（例えば、特許文献１）。
【特許文献１】特開２００１−１９９４４４号公報
【発明の開示】
【発明が解決しようとする課題】
【０００３】
上記従来の収納ケースは、紙で出来ているため、変形し易く、内部に入れた玩具等の収納物を保護することができないという問題点があった。また、紙で形成されているため、破けて壊れやすいという問題点があった。特に、ペットボトル等の容器の首部に取り付けられて使用されるので、容器を段ボール等の収納箱に詰め込む際に、収納ケースが何らかの一部に接触して変形若しくは破損して、内部に収納した収納物を壊したり、収納物を飛び出させたりする場合があった。また、ペットボトル等の容器の首部から取り外す時、破けて壊れるので、再利用することができないという問題点があった。
【０００４】
本願発明は、上記問題点に鑑み案出したものであって、簡単にペットボトル等の容器の首部に着脱することができ、丈夫で変形し難く、内部に入れた収納物を確実に保護することができ、装飾物として再利用することができる、従来にない興趣ある収納ケースを提供することを目的とする。
【課題を解決するための手段】
【０００５】
本願請求項１に係る収納ケースは、上記目的を達成するため、容器の首部に離脱可能に取り付けられる収納ケースであって、合成樹脂素材によって成形された第１のケースと、合成樹脂素材によって成形され、前記第１のケースに嵌着される第２のケースとからなり、第１のケースには、容器の首部を挟持する一対のアームが形成されている。
【０００６】
本願請求項２に係る収納ケースは、上記目的を達成するため、第１のケースの開口端周縁には、嵌合凹部が形成され、第２のケースの開口端周縁には、嵌合凸部が形成され、第１のケースと第２のケースは、開口端同士が接合され、嵌合凸部が嵌合凹部に着脱可能に嵌着されている。
【０００７】
本願請求項３に係る収納ケースは、上記目的を達成するため、第１のケースの合成樹脂素材は、第２のケースの合成樹脂素材より軟質素材で形成されている。
【０００８】
本願請求項４に係る収納ケースは、上記目的を達成するため、アームは、先端側に向かって細くなるように形成されている。
【０００９】
本願請求項５に係る収納ケースは、上記目的を達成するため、収納ケースは、球体状に形成され、第１のケース及び第２のケースは、半球体状に形成されている。
【００１０】
本願請求項６に係る収納ケースは、上記目的を達成するため、一対のアームが形成され
た面は、容器の首部に沿って湾曲した形状に形成されている。
【発明の効果】
【００１１】
本願発明に係る収納ケースは、ペットボトル等の容器の首部に一対のアームの先端を当接して押し込むと、一対のアームが素材の弾性に抗して拡開し、一対のアーム間に容器の首部が収まると、一対のアームが素材の弾性により容器の首部を挟持して、容器に取り付けることができ、逆に容器の首部から引っ張ると、一対のアームが素材の弾性に抗して拡開して容器の首部から外すことができ、一対のアームが素材の弾性により元の状態に復帰する。このように、本願発明に係る収納ケースは、容器の首部に簡単に着脱することができるという効果がある。又、本願発明に係る収納ケースは、ペットボトル等の容器の首部から取り外した後、棚等の支柱に取り付けて、装飾物として再利用することができるという効果がある。
【００１２】
本願発明に係る収納ケースは、合成樹脂素材によって形成されているので、丈夫で変形し難くさらに壊れ難く、内部に収納した玩具等の収納物を確実に保護することが出来るという効果がある。そのため、本願発明に係る収納ケースは、ペットボトル等の容器の首部に取り付けられて使用され、ペットボトル等の容器を段ボール等の収納箱に詰め込む際、収納ケースが何らかの一部に接触しても、変形、破損等することがないので、内部に収納した収納物を壊したり、収納物を飛び出させたりすることがないという効果がある。
【００１３】
本願発明に係る収納ケースは、アームが形成されている第１のケースの開口端周縁に、嵌合凹部が形成され、第２のケースの開口端周縁に、嵌合凸部が形成されているので、第１のケースと第２のケースの開口端同士を接合し、嵌合凸部を嵌合凹部に着脱可能に嵌着して組み立てる際、アームが邪魔にならないという効果がある。
【００１４】
本願発明に係る収納ケースは、第１のケースの合成樹脂素材が、第２のケースの合成樹脂素材より軟質素材で形成されているので、第２のケースの嵌合凸部を第１のケースの嵌合凹部に着脱可能に嵌着すると、第１のケースの開口端周縁が拡がるようにして、嵌合凸部と嵌合凹部が隙間無く密着させることができ、収納ケースの外観を損なわないという効果がある。
【００１５】
本願発明に係る収納ケースは、アームが先端側に向かって細くなるように形成されているので、先端側が撓み易くなっており、容器の首部への脱着を容易にすることができるという効果がある。
【００１６】
本願発明に係る収納ケースは、収納ケースが球体状に形成され、第１のケース及び第２のケースが半球体状に形成されているので、カプセル玩具としての形態を有し、子ども達の興味を惹起せしめるという効果がある。
【００１７】
本願発明に係る収納ケースは、一対のアームが形成された面が、容器の首部に沿って湾曲した形状に形成されているので、ペットボトル等の容器の最大外径からはみ出ないようにすることができるという効果がある。
【発明を実施するための最良の形態】
【００１８】
本願発明の実施の形態を図１乃至図８に基づいて説明する。図１は、本願発明に係る収納ケースの説明図であって、（ａ）は側面図、（ｂ）は側面断面図、（ｃ）は正面図、（ｄ）は上面図、（ｅ）は上面断面図である。図２は、本願発明に係る収納ケースを分解した説明図であって、（ａ）は側面図、（ｂ）は側面断面図、（ｃ）は正面図、（ｄ）は第２のケースを外した上面図である。図３は、本願発明に係る収納ケースを容器の首部に取り付けた状態を示す側面断面図である。図４は、本願発明に係る収納ケースを容器の首部
に取り付けた状態を示す上面断面図である。図５は、本願発明に係る収納ケースを容器の首部に取り付けた状態を示す斜視図である。図６は、本願発明に係る収納ケースに収納物を収納した状態を示す分解斜視図である。図７は、本願発明に係る収納ケースの他の利用例を示す斜視図である。図８は、本願発明に係る収納ケースの他の説明図であって、（ａ）は側面図、（ｂ）は上面図である。
【００１９】
収納ケース１は、容器３０の首部３１に離脱可能に取り付けられるものであって、合成樹脂素材によって成形された第１のケース２と、合成樹脂素材によって成形され、前記第１のケース２に嵌着される第２のケース２２とからなる。第１のケース２には、容器３０の首部３１を挟持する一対のアーム７，８が形成されている。
【００２０】
収納ケース１は、第１のケース２の開口端３周縁に嵌合凹部５が形成され、第２のケース２２の開口端２３周縁に嵌合凸部２５が形成されている。第１のケース２と第２のケース２２は、開口端３，２３同士が接合され、嵌合凸部２５が嵌合凹部５に着脱可能に嵌着されている。第１のケース２の合成樹脂素材は、第２のケース２２の合成樹脂素材より軟質で成形されている。
【００２１】
アーム７，８は、先端１５，１６側に向かって細くなるように形成されている。収納ケース１は、球体状に形成され、第１のケース２及び第２のケース２２は、半球体状に形成されている。なお、図８に示すように、収納ケース１は、一対のアーム７，８が形成された面３５が、容器３０の首部３１に沿って湾曲した形状に形成されていても良い。
【００２２】
さらに、収納ケース１について詳細に説明する。図１に示すように、収納ケース１は、球体状に形成され、第１のケース２と第２のケース２２とからなる。図２に示すように、第１のケース２は、透過性を備えていない第１の合成樹脂素材で一体成形され、半球体状に形成されている。第１のケース２は、開口端３周縁の内側に嵌合凹部５が延設されている。当該嵌合凹部５は、底面５ａと周面５ｂからなる。また、第１のケース２は、開口端３周縁の外側に連結杆６が形成され、連結杆６に一対のアーム７，８が形成されている。第１のケース２の開口端３と、連結杆６の上端１１と、一対のアーム７，８の上端１２，１３は、略同じ平面上に形成されている。
【００２３】
図２（ａ）（ｂ）に示すように、アーム７，８は、先端１５，１６に向かって厚みｔが薄くなっており、内側に向かって湾曲している。アーム７，８によって、後記ペットボトル等の容器３０の首部３１の外径より若干わずかに狭い内径の装着空間２０が形成されている。また、アーム７の先端１５とアーム８の先端１６の間は、前記首部３１を挿通させることができる隙間２１が形成されている。当該隙間２１は、首部３１の外径より狭く形成されている。当該実施の形態では、第１のケース２は、非透過性を有する素材で形成されているが、透過性を備えた素材で形成されても構わない。
【００２４】
図２に示すように、第２のケース２２は、透過性を備えた第２の合成樹脂素材で一体成形され、半球体状に形成されている。前記第１のケース２の第１の合成樹脂素材は、当該第２の合成樹脂素材より軟質素材で形成されている。第２のケース２２は、開口端２３周縁の内側に嵌合凸部２５が延設されている。嵌合凸部２５の外面２６の外径は、前記第１のケース２の嵌合凹部５の周面５ｂの内径より若干大きく形成されている。当該実施の形態では、第２のケース２２は、透過性を有する素材で形成されているが、透過性を備えていない素材で形成されても構わない。
【００２５】
図６に示すように、収納ケース１は、第１のケース２に玩具等の収納物２８を収納し、第１のケース２の開口端３に第２のケース２２の開口端２３を接合することによって一体的に組み立てられる。図１に示すように、第２のケース２２の開口端２３を第１のケース
２の開口端３に接合すると、第２のケース２２の嵌合凸部２５が第１のケース２の嵌合凹部５に着脱可能に嵌着される。第１のケース２は、開口端３周縁の外側に一対のアーム７，８が形成され、開口端３周縁の内側に嵌合凹部５が延設されている。第２のケース２２は、開口端２３周縁の内側に嵌合凸部２５が延設されている。そのため、収納ケース１は、第２のケース２２の嵌合凸部２５を第１のケース２の嵌合凹部５に着脱可能に嵌着して組み立てられる際、アーム７，８が邪魔にならない。又、前述したように、第２のケース２２の嵌合凸部２５の外面２６の外径が、第１のケース２の第１の嵌合凹部５の周面５ｂの内径より若干大きく形成され、第１のケース２の第１の合成樹脂素材が第２のケース２２の第２の合成樹脂素材より軟質素材で形成されている。そのため、収納ケース１は、嵌合凸部２５を嵌合凹部５に嵌着すると、第１のケース２の開口端３周縁が拡がるようにして、嵌合凸部２５の外面２６と嵌合凹部５の周面５ｂが隙間無く圧着し、外観を損なわない。
【００２６】
図３，４に示すように、収納ケース１は、ペットボトル等の容器３０の首部３１に一対のアーム７，８の先端１５，１６を当接して押し込むと、一対のアーム７，８が素材の弾性に抗して拡開して先端１５，１６間の隙間２１が拡がり、首部３１が隙間２１を挿通して装着空間２０内に位置する。一対のアーム７，８間、即ち装着空間２０内に容器３０の首部３１が収まると、一対のアーム７，８が素材の弾性により容器３０の首部３１を挟持するので、収納ケース１が容器３０に取り付けられる。一対のアーム７，８は、先端側に向かって肉厚ｔが薄くなるように形成されているので、先端１５，１６が撓み易くなっており、容器３０の首部３１への脱着を容易にしている。
【００２７】
収納ケース１は、合成樹脂素材によって形成されているので、丈夫で変形し難くさらに壊れ難く、内部に収納した玩具等の収納物２８を確実に保護することが出来る。収納ケース１は、ペットボトル等の容器３０が段ボール等の収納箱に詰め込まれる際、何らかの一部に接触しても、変形、破損等することがないので、内部に収納した収納物２８を壊したり、収納物２８を飛び出させたりすることがない。このようにして、ペットボトル等の容器３０は、収納ケース１が取り付けられた状態で販売される。収納ケース１は、球体状に形成され、第１のケース２及び第２のケース２２が半球体状に形成されているので、カプセル玩具としての形態を有し、購入者の興味を惹起せしめることができる。
【００２８】
ペットボトル等の容器３０の購入者は、収納ケース１を容器３０に取り付けられている状態で首部３１から引っ張ると、一対のアーム７，８が素材の弾性に抗して拡開して先端１５，１６間の隙間２１が拡がり、首部３１が隙間２１を挿通して収納ケース１を容器３０の首部３１から外すことができる。収納ケース１の一対のアーム７，８は、素材の弾性により元の状態に復帰する。さらに、第２のケース２２を第１のケース２から外して、第１のケース２内から収納物２８を取りだすことが出来る。
【００２９】
取り出して使用した収納物２８は、図６に示すように、再度第１のケース２に載せ、第１のケース２の開口端３に第２のケース２２の開口端２３を接合して組み立てた収容ケース１内に収納することができる。図７に示すように、収納ケース１は、棚３２等の支柱３３に一対のアーム７，８の先端１５，１６を当接して押し込むと、首部３１と同様に、支柱３３に着脱可能に取り付けることができ、室内用装飾物として再利用することができる。また、収納ケース１は、第２のケース２２が透過性を有する合成樹脂素材で成形されているので、収納物２８を確認することができる。
【００３０】
上記実施の形態では、収納ケース１を球体状に形成した。図８に示すように、収納ケース１の一対のアーム７，８が形成された面３５を容器３０の首部３１に沿って湾曲させて凹ませた形状に形成すると、ペットボトル等の容器３０の最大外径からはみ出ないようにすることができる。
【図面の簡単な説明】
【００３１】
【図１】本願発明に係る収納ケースの説明図である。
【図２】本願発明に係る収納ケースを分解した説明図である。
【図３】本願発明に係る収納ケースを容器の首部に取り付けた状態を示す側面断面図である。
【図４】本願発明に係る収納ケースを容器の首部に取り付けた状態を示す上面断面図である。
【図５】本願発明に係る収納ケースを容器の首部に取り付けた状態を示す斜視図である。
【図６】本願発明に係る収納ケースに収納物を収納した状態を示す分解斜視図である。
【図７】本願発明に係る収納ケースの他の利用例を示す斜視図である。
【図８】本願発明に係る収納ケースの他の説明図である。
【符号の説明】
【００３２】
１  収納ケース
２  第１のケース
３  開口端
５  嵌合凹部
５ａ  底面
５ｂ  周面
６  連結杆
７  アーム
８  アーム
１１  上端
１２  上端
１３  上端
１５  先端
１６  先端
２０  装着空間
２１  隙間
２２  第２のケース
２３  開口端
２５  嵌合凸部
２６  外面
２８  収納物
３０  容器
３１  首部
３２  棚
３３  支柱
３５  面
【図１】
2005320039.tif 000003
【図２】
2005320039.tif 000004
【図３】
2005320039.tif 000005
【図４】
2005320039.tif 000006
【図７】
2005320039.tif 000007
【図８】
2005320039.tif 000008
【図５】
2005320039.tif 000009
【図６】
2005320039.tif 000010